(57)【要約】【課題】インク滴によって汚れない高品質な画像を記録することのできるインクジェット記録用記録媒体、及びインク汚れの起きないインクジェット記録方法を提供する。【解決手段】記録媒体１１は、水分を吸着可能な物質５が辺３ａに設けられている。記録媒体１１を水分を吸着可能な物質５が設けられている辺３ａから、記録位置に供給してインクジェット記録を行なう。【選択図】    図１
2004351888.tif 000002
【特許請求の範囲】
【請求項１】
水分を吸着可能な物質が、少なくとも１辺に設けられていることを特徴とするインクジェット記録用記録媒体。
【請求項２】
前記記録媒体が４つの辺を有し、前記水分を吸着可能な物質が、該４つの辺のうち１辺のみに設けられていることを特徴とする請求項１に記載のインクジェット記録用記録媒体。
【請求項３】
前記記録媒体が４つの辺を有し、前記水分を吸着可能な物質が、該４つの辺のうち対向する２辺に設けられていることを特徴とする請求項１に記載のインクジェット記録用記録媒体。
【請求項４】
前記記録媒体が４つの辺を有し、前記水分を吸着可能な物質が、該４つの辺に設けられていることを特徴とする請求項１に記載のインクジェット記録用記録媒体。
【請求項５】
請求項１〜４のいずれかに記載の記録媒体を前記水分を吸着可能な物質が設けられている辺から記録位置に供給し、記録ヘッドからインク滴を吐出して記録を行うことを特徴とするインクジェット記録方法。
【請求項６】
前記記録がフチなし記録であることを特徴とする請求項５に記載のインクジェット記録方法。
【請求項７】
前記インク滴が、０．２〜３０ｎｇであることを特徴とする請求項５または６に記載のインクジェット記録方法。
【発明の詳細な説明】
【０００１】
【発明の属する技術分野】
本発明は、インクジェット記録用記録媒体及びインクジェット記録方法に関する。
【０００２】
【従来の技術】
近年、オフィスや家庭でインクジェットプリンターが急速に普及しており、デジタルカメラ等と組み合わせた使い勝手の良さや得られる記録画像の高品質化に伴い、フチなし印刷が行われるようになってきた（例えば、特許文献１参照。）。
このフチなし印刷は、記録媒体である用紙の外周部に余白部をつくることなく、用紙いっぱいに画像を記録（印刷）するものである。したがって、供給された用紙の前端部、後端部ならびに左右両端部においても十分なインク滴の供給を行う必要があるために、用紙が記録位置に供給される前に記録ヘッドからインク滴の噴射が開始され、また用紙が記録位置に供給された後も用紙の左右両端部、後端部から若干はみ出すようなインク滴の噴射が行われる。
【０００３】
図４にインクジェット記録装置によるフチなし印刷の概念図を示す。図４に示すように、インクジェット記録装置１００は、多数のノズル（図示せず）が配列されたノズルアレイ１０１を有する記録ヘッド１０２と、記録ヘッド１０２に対向して設けられ記録媒体である用紙１０３の印刷時位置を規制するプラテン１０４と、紙送りローラ１０５および排紙ローラ１０６を有している。ノズルアレイ１０１の各ノズルは、ノズル駆動制御部１１０により制御されてインク１０８を吐出する。
また、記録ヘッド１０２と対向するプラテン１０４にはインク受け１０７が設けられており、用紙１０３が余白なく印刷されるには、図４に示すようにノズルアレイ１０１の各ノズルは前端部１０３ａが記録位置に到達する前からインクの吐出を開始する。ここで、打ち捨てられたインク１０８はインク受け１０７に収容されるようになっている。
【０００４】
また、近年、インクジェットプリンターで写真を印刷する要望が高まっており、より高精細な記録画像を得るために、噴射されるインク滴が数ｎｇ程度の非常に小さいものになってきている。
【特許文献１】
特開２０００−３５１２０５号公報
【０００５】
【発明が解決しようとする課題】
ところで、上記のようにフチなし印刷を行うとき、特に用紙１０３の前端部１０３ａがノズルアレイ１０１の記録位置に供給される前にインク滴を噴射することから、記録位置付近にインク受け１０７に到達せずにミスト状態で浮遊する浮遊インク１０９が発生する。このような状態のときに用紙１０３が供給されて記録が開始されると、浮遊インク１０９が浮遊する空間中に用紙が進入することとなり、特に用紙１０３の前端部１０３ａの裏面に浮遊インク１０９が付着して汚すため印刷の品位を落とすという問題がある。
【０００６】
これは、浮遊インク１０９と用紙１０３とがそれぞれ反対の方向に帯電することによって起こるものと推察される。すなわち、図５に示すように、インク噴射時のノズルとインク滴１０８との摩擦等によって浮遊インク１０９が帯電（例えば＋）していて、各ローラ１０５，１０６と用紙１０３との摩擦等によって用紙１０３の裏面１１０が浮遊インクと反対側に帯電（例えば−）している場合、用紙１０３が浮遊インク１０９が存在する空間に供給されると電気的引力で浮遊インク１０９が用紙１０３の裏面１１０に引き寄せられて付着することによって起こると考えられる。
【０００７】
特に、高精細な記録画像が得られる記録装置では、噴射されるインク滴が極めて小さいために、インク受け１０７にインク滴１０８が到達し難く、浮遊インク１０９がより発生しやすくなり上記問題が顕著となる。
【０００８】
本発明は上記問題点に鑑みなされたものであり、その目的は、記録媒体をインク滴によって汚れず、高品質な画像を記録することのできるインクジェット記録用記録媒体、及びインク汚れが発生しないインクジェット記録方法を提供することである。
【０００９】
【課題を解決するための手段】
前述した目的を達成するために、本発明にかかるインクジェット記録用記録媒体は、請求項１に記載したように、水分を吸着可能な物質が、少なくとも一辺に設けられていることを特徴としている。
【００１０】
このように構成されたインクジェット記録用記録媒体においては、記録媒体に設けられた水分を吸着可能な物質が水分を吸着することができるので、記録媒体が帯電するのを防止することができる。このことにより、本発明よれば、帯電量が極めて少ない記録媒体を得ることができ、この記録媒体をインクジェット記録装置に供給した場合に、インク滴を吐出した際に発生した浮遊インクが帯電して浮遊していても、この浮遊インクが電気的引力により記録媒体に付着してインク汚れが起きるのを防止することができる。
【００１１】
また、本発明に係るインクジェット記録用記録媒体は、請求項２に記載したように、請求項１に記載のインクジェット記録用記録媒体において、前記記録媒体が４つの辺を有し、前記水分を吸着可能な物質が、該４つの辺のうち１辺のみに設けられていることを特徴としている。
【００１２】
上記の構成によれば、水分を吸着可能な物質が４つの辺のうち１辺に設けられていることから、記録媒体に該物質を設ける時に、少ない使用量で設けることができる。
【００１３】
また、本発明にかかるインクジェット記録用記録媒体は、請求項３に記載したように、請求項１に記載のインクジェット記録用記録媒体において、前記記録媒体が４つの辺を有し、前記水分を吸着可能な物質が、該４つの辺のうち対向する２辺に設けられていることを特徴としている。
【００１４】
上記の構成によれば、水分を吸着可能な物質が、記録媒体の４つの辺のうち対向する２辺に設けられていることから、記録媒体を２つの辺のうちどちら側からでも記録装置に供給することができる。
【００１５】
また、本発明にかかるインクジェット記録用記録媒体は、請求項４に記載したように、請求項１に記載のインクジェット記録用記録媒体において、前記記録媒体が４つの辺を有し、前記水分を吸着可能な物質が、該４つの辺に設けられていることを特徴としている。
【００１６】
上記構成によれば、水分を吸着可能な物質が、記録媒体の４つの辺に設けられていることから、記録媒体を記録装置に供給した場合に４つの辺のうちどの側からでも供給することができる。
【００１７】
また、本発明にかかるインクジェット記録方法は、請求項５に記載したように、請求項１〜４のいずれかに記載の記録媒体を、前記水分を吸着可能な物質が設けられている辺から記録位置に供給し、記録ヘッドからインク滴を吐出して記録を行うことを特徴としている。
【００１８】
記録位置に記録媒体が供給される前に浮遊インクが浮遊している場合に、記録媒体の供給される方向の前辺部は、浮遊インクが付着してインク汚れが発生し易い状況にある。
しかしながら、このようなインクジェット記録方法によれば、前記水分を吸着可能な物質が設けられている辺から記録位置に供給するので、浮遊インクが記録媒体が供給される方向の前辺部に電気的引力により付着してインク汚れが発生するのをより確実に防止することができる。
【００１９】
また、本発明にかかるインクジェット記録方法は、請求項６に記載したように、請求項５に記載のインクジェット記録方法において、前記記録がフチなし記録であることを特徴としている。
【００２０】
フチなし記録では浮遊インクが発生し易い状況にあるが、上記のようなインクジェット記録方法は、フチなし記録を行う場合に、記録媒体が汚れるのをより効果的に防止し、品質の高いフチなし記録を行うことができる。
【００２１】
また、本発明にかかるインクジェット記録方法は、請求項７に記載したように、請求項５又は６に記載したインクジェット記録方法において、前記インク滴が０．２〜３０ｎｇであることを特徴としている。
【００２２】
このようなインクジェット記録方法においては、インク滴が０．２〜３０ｎｇと小さいために得られる記録画像が高精細である。また、インク滴が小さいために浮遊インクが発生し易い状況であっても浮遊インクが付着することによる記録媒体の汚れを防止することができる。
【００２３】
【発明の実施の形態】
本発明の実施形態に係るインクジェット記録用記録媒体を図面を用いて説明する。図１（Ａ）は、本発明のインクエジェット記録用記録媒体の第１実施形態を示す平面図であり、（Ｂ）はその断面図である。また、図２及び３は、本発明のインクジェット記録用記録媒体の第２実施形態及び第３実施形態を示す平面図である。
【００２４】
図１（Ａ）及び（Ｂ）に示すように、第１実施形態に係るインクジェット記録用記録媒体１１は、インクジェット記録される表面４Ａ及びその裏面４Ｂ、長辺２ａ，２ｂ及び短辺３ａ，３ｂの４辺からなる。そして、裏面４Ｂの短辺３ａには水分を吸着可能な物質５が所定の幅で塗布により設けられている。
【００２５】
上記実施形態によれば、水分を吸着可能な物質５が記録媒体１１の４つの辺のうち１辺（短辺３ａ）のみに沿ってわずかな幅で設けられているので、記録媒体１１に該物質５を設ける時に、少量の使用量で設けることができ、記録媒体１１の加工が容易となる。
【００２６】
また、上記第１実施形態に係るインクジェット記録用媒体１１は、水分を吸着可能な物質５が含有されていることから、水分が吸着しやすい状態にある。このことにより、記録用媒体１１は電荷が付与されにくくなっており、インクジェット記録装置に供給された場合にも、インク汚れが発生しにくい。特に、直接水分吸着可能な物質５が付与されている短辺３ａの側から記録媒体１１供給すると、短辺３ａにインク汚れが発生するのをより確実に防止することができる。
【００２７】
また、図２に示すように、第２実施形態に係るインクジェット記録用記録媒体５０は、インクジェット記録される表面５４Ａ及びその裏面５４Ｂ、長辺５２ａ，５２ｂ及び短辺５３ａ，５３ｂからなる。そして、裏面５４Ｂの短辺５３ａ，５３ｂに２辺に、水分を吸着可能な物質５５が所定の幅でもって塗布により設けられている。
【００２８】
上記第２実施形態に係るインクジェット記録用媒体５０は、第１実施形態にと同様に、インク汚れが発生しにくいものであり、特に、直接水分吸着可能な物質５５が付与されている短辺５３ａ，５３ｂの側から供給すると、短辺５３ａ，５３ｂにインク汚れが発生するのを確実に防止することができる。さらに、対向する２つの辺である短辺５３ａ，５３ｂに水分を吸着可能な物質５５が付与されているので、短辺５３ａ，５３ｂのうち、どちら側から記録装置に供給してもインク汚れが発生するのをより確実に防止することができる。
【００２９】
さらに、図３に示すように、第３実施形態に係るインクジェット記録用記録媒体６０は、インクジェット記録される表面６４Ａ及びその裏面６４Ｂ、長辺６２ａ，６２ｂ及び短辺６３ａ，６３ｂからなる。そして、裏面６４Ｂの長辺６２ａ，６２ｂ及び短辺６３ａ，６３ｂの４辺に、水分を吸着可能な物質６５が所定の幅でもって塗布により設けられている。
【００３０】
上記第３実施形態に係るインクジェット記録用媒体６０は、第１実施形態にと同様にインク汚れが発生するのを防止できるものであるが、記録媒体６０の４つの辺のうちどの辺にも水分を吸着可能な物質６５が付与されているので、
記録媒体６０のどの辺から記録装置に供給しても、インク汚れが発生するのを確実に防止することができる。
【００３１】
以上のように本実施形態に係るインクジェット記録用記録媒体は、水分を吸着可能な物質が少なくとも１辺に設けられていることから、この水分を吸着可能な物質が水分を吸着することによって、記録媒体が帯電するのを防止することができるものである。したがって、本発明によれば、記録媒体が帯電することにより発生するインク汚れが起きないインクジェット記録用記録媒体を得ることができる。
【００３２】
なお、上記各実施形態においては、水分を吸着可能な物質が記録媒体が有する４つの辺のうち辺に含有されている形態を示したが、本発明の実施形態に係るインクジェット記録用記録媒体は、水分を吸着可能な物質が少なくとも１辺に設けられていれば、記録媒体の一部の面あるいは全面に設けられている形態であっても良い。
また、上記各実施形態においては、水分を吸着可能な物質は裏面に設けられている形態を示したが、本発明の実施形態に係るインクジェット記録用記録媒体は、表面（記録面）に水分を吸着可能な物質が設けられている形態であってもよい。
【００３３】
本発明の記録媒体に設けられる水分を吸着可能な物質としては、公知の保湿剤、吸湿性の高い金属塩等を用いることができる。具体的には、グリセリン、エチレングリコール、塩化ラウリルトリメチルアンモニウム、ＭｇＣｌ２、ＫＣｌ等が挙げられる。
また、上記各実施形態においては、水分を吸着可能な物質を記録媒体に塗布により設けた形態を示したがが、他にも噴霧等の方法を用いて付与することができる。
【００３４】
次に、図１に示す第１実施形態に係るインクジェット記録用記録媒体を用いたインクジェット記録方法について、図６を用いて詳細に説明する。図６は、本発明に係るインクジェット記録方法を実践するインクジェット記録装置の構成図である。
図６に示すように、本発明に係るインクジェット記録装置１０は、給紙部２０、記録部３０、排紙部４０を有している。
給紙部２０は、記録媒体として記録媒体１１を貯蔵してある用紙トレイ２１と、この用紙トレイ２１から記録媒体１１を一枚ずつ取り出すフィードローラ２２とを有している。また、給紙部２０には、必要に応じてフィードローラ２２の下流側に記録媒体１１を搬送するための搬送ローラ２３、２４が例えば２箇所設けられており、さらに記録媒体１１を記録部３０へ搬送するための紙送りローラ２５が設けられている。
【００３５】
記録部３０は、ノズル駆動制御部３３と、記録ヘッド３１と、この記録ヘッドに対向して設けられているプラテン３４とを有している。記録ヘッド３１は、インク滴３５を噴射するノズルアレイ３２を有しており、ノズルアレイ３２は多数のノズル（図示せず）を有しており、各ノズルはノズル駆動制御部３３によりノズルからのインク滴３５の吐出が制御されている。各ノズルはノズルから吐出されるインク滴３５の大きさが０．１〜５０ｎｇの範囲で調整できるように構成されている。また、プラテン３４はノズルアレイ３２と対向する位置に空間を有している。この空間にインク受け３６が設けられており、記録媒体１１に付着しなかったインク滴３５がインク受け３６に回収されるようになっている。
さらに、記録部３０の下流側には、排紙部４０の排紙ローラ４１が設けられており、記録部３０において印刷が完了した記録媒体１１を外部へ排出する。
【００３６】
次に、図６に示すインクジェット記録装置１０を用いた本発明の実施形態に係るインクジェット記録方法について説明する。（なお、図６においてＡは記録媒体１１の搬送方向を示す。）
まず、給紙部２０の用紙トレイ２１に、図１に示す短辺３ａに水分を吸着可能な物質５が設けられた記録媒体１１をセットしておく。このとき、図６に示すように、水分を吸着可能な物質５が設けられている短辺３ａから記録位置に供給されるように用紙トレイ２１に置く。
次に、例えばコンピュータなどの印刷信号に基づいて、フィードローラ２２により用紙トレイ２１から記録媒体１１を一枚取り出して搬送ローラ２３により搬送する。続いて、記録媒体１１を搬送ローラ２４、紙送りローラ２５を経て記録部３０へと搬送する。
【００３７】
このとき、記録媒体１１に水分を吸着可能な物質が含有されていない場合は、用紙トレー２１から送り出されるときの記録媒体１１同士の擦れや搬送経路の各部材との摩擦によって＋又は−に帯電してしまう。
しかしながら、本実施形態にインクジェット記録方法では、記録媒体１１に水分を吸着可能な物質が含有されているので、記録媒体１１が水分を吸着することができ、その結果、上記過程で記録媒体１１が帯電するのを防止できる。また、水分を吸着可能な物質が含有されている短辺３ａから記録媒体１１供給することにより、短辺３ａの帯電量は極めて少ない状態であると推察される。
【００３８】
さらに、記録媒体１１を記録部３０に搬送した後、プラテン３４により記録媒体１１の裏面を保持した状態で印刷を行う。プラテン３４により保持された記録媒体１１に対して、ノズル駆動制御部３３により記録ヘッド３１に設けられているノズルアレイ３２の多数のノズル（図示せず）を制御して、ノズルから例えば０．２〜３０ｎｇのインク滴３５を吐出させ、記録媒体１１にインクジェット記録を行う。
【００３９】
ここで、記録媒体１１の短辺３ａが記録位置（すなわちインク滴３５の落下点）に到達する前からノズルアレイ３２のノズルからインク滴３５を噴射することにより、記録位置に供給された記録媒体１１の短辺３ａからインク滴３５を付着させることができ、フチなし印刷を行うことができる。このとき、短辺３ａが記録位置に達する前に、噴射された打ち捨てインクをノズルアレイ３２の下方に設けられているインク受け３６により回収できる。
一方、打ち捨てインクがインク受け３６に到達しなかった場合、ノズルアレイ３２とインク受け３６との間の空間にミスト状で浮遊する浮遊インク３７が発生し、しかも浮遊インク３７はノズルとの摩擦等により帯電した状態で浮遊している。
【００４０】
しかしながら、ここに記録媒体１１を供給したとき、記録媒体１１は水分を吸着可能な物質が含有されているので、その帯電量が少なくなっている。このため、上記浮遊インク３７が電気的引力によって記録媒体１１の裏面に回り込み、記録媒体１１にインク汚れが付着するのを防止することができる。また、特に記録媒体１１の裏面の短辺３ａでは上記物質が直接付与されているので、帯電した浮遊インク３７がこの部分に付着してインク汚れが発生するのを防止することができる。
【００４１】
印刷が完了した後、記録媒体１１を排紙部４０の排紙ロール４１によって外部へ排出する。
【００４２】
以上で述べた本発明の実施形態に係るインクジェット記録方法によれば、上記フチなし印刷を行う際、水分を吸着可能な物質が含有されている短辺３ａから記録媒体１１を供給することにより、記録媒体１１の帯電量が極めて少ない状態で記録位置に供給することができる。このため、記録位置付近に電荷を帯びた浮遊インク３７が浮遊している場合でも、記録媒体１１の帯電量が極めて少ないので浮遊インク３７が電気的引力により記録媒体１１に引き付けられて付着することがなく、記録媒体１１にインク汚れが発生するのを防止することができる。また、特に記録媒体１１の裏面の短辺３ａから供給することにより、記録媒体１１の裏面の短辺３ａが浮遊インク３４によって汚れるのを防止して、品質の高い印刷を行うことができる。
【００４３】
以上の本実施形態に係るインクジェット記録方法は、フチなし印刷を行った場合について述べたものであるが、通常の余白を設けて印刷する方法においても適用して用紙の印刷汚れを防止することができる。すなわち、余白を設けて印刷する方法においても、連続して用紙を供給してインクジェット記録を行う場合、記録位置付近で浮遊インクが発生することが考えられるが、本発明の実施形態に係るインクジェット記録方法によればこの場合においても用紙のインク汚れを防止することができる。
【００４４】
なお、本発明のインクジェット記録装置は、上記実施形態に限定されるものでなく、例えば供給部２０における用紙の搬送経路や記録部３０における記録ヘッドの構造等の適宜な変更を行うことができる。
例えば、本実施形態に係るインクジェット記録方法においては、ノズルアレイ３２のノズルから吐出されるインク滴の大きさを０．２〜３０ｎｇとした。上記実施形態によれば、インク滴の大きさをこの範囲とすることにより、高品質の画像を得ることができ、かつインク滴が小さいために浮遊インクが発生し易い状況であってもインク汚れの発生しないインクジェット記録方法とすることができる。しかしながら、本発明に係るインクジェット記録方法では必ずしもインク滴の大きさを上記範囲とする必要はなく、目的の画像品質に応じて適宜変更できる。
【００４５】
【発明の効果】
以上、説明したように、本発明にかかるインクジェット記録用記録媒体によれば、少なくとも一辺に水分を吸着可能な物質が含有されているので、特に記録媒体のこの部分の帯電を防止することができる。このため、記録ヘッドからインク滴を吐出した際に発生した浮遊インクが帯電して浮遊している場合でも、浮遊インクが電気的引力により記録媒体に付着してインク汚れが発生するを防止することができる。
【００４６】
また、本発明にかかるインクジェット記録方法よれば、記録ヘッドからインク滴を吐出した際に発生した浮遊インクが帯電して浮遊している場合でも、前記水分を吸着可能な物質が含有されている辺から記録位置に供給するので、記録媒体に供給される方向の前辺部に浮遊インクが電気的引力により付着することにより起こるインク汚れを確実に防止することができる。
【図面の簡単な説明】
【図１】本発明に係るインクジェット記録用記録媒体の一実施形態を示す（Ａ）平面図及び（Ｂ）断面図である。
【図２】本発明に係るインクジェット記録用記録媒体の一実施形態を示す平面図である。
【図３】本発明に係るインクジェット記録用記録媒体の一実施形態を示す平面図である。
【図４】従来のインクジェット記録装置を示す構成図である。
【図５】従来の問題点を示す説明図である。
【図６】本発明に係るインクジェット記録用記録媒体およびインクジェット記録方法の一実施形態を示す構成図である。
【符号の説明】
１１，５０，６０  記録媒体
５，５５，６５  水分を吸着可能な物質
３１  記録ヘッド
３５  インク滴
【図１】
2004351888.tif 000003
【図２】
2004351888.tif 000004
【図３】
2004351888.tif 000005
【図４】
2004351888.tif 000006
【図５】
2004351888.tif 000007
【図６】
2004351888.tif 000008